(57)【要約】【課題】本発明は、染料の光安定性に優れた液状組成物を提供することを課題とする。【解決手段】（ａ）分子中に窒素原子を含有しない溶媒及び（ｂ）染料を含有する液状組成物、または、（ａ）分子中に窒素原子を含まない溶媒及び、（ｂ）染料及び、（ｃ）生理活性成分を含有することを特徴とする液状組成物である。【選択図】なし【特許請求の範囲】
【請求項１】
（ａ）分子中に窒素原子を含有しない溶媒及び、（ｂ）染料を含有する液状組成物。
【請求項２】
（ａ）分子中に窒素原子を含まない溶媒及び、（ｂ）染料及び、（ｃ）生理活性成分を含有する液状組成物。
【請求項３】
分子中に窒素原子を含有しない溶媒が、γ−ブチロラクトン、ジメチルスルホキシド（ＤＭＳＯ）、エチレングリコール、ジエチレングリコール、プロピレングリコール、ジプロピレングリコール、ヘキシレングリコール、テトラヒドロフルフリルアルコール、グリセリン、ジエチレングリコールモノメチルエーテル、トリエチレングリコールモノメチルエーテル、シクロヘキサノン、プロピレンクロロヒドリン、プロピオン酸、乳酸エチル、アクリル酸、乳酸メチル、エチレンクロロヒドリン、エチレングリコールモノブチルエーテル、３−メトキシ−１−ブタノール、２−メルカプトエタノール、シクロヘキサノール、ジエチレングリコールジメチルエーテル、３−メチル−３−メトキシ−１−ブタノール、アセト酢酸メチル、ブチルジグリコール、フルフリルアルコール、アセト酢酸エチル、４−ヒドロキシー２−ブタノン、エチレンジグリコール、ジ酢酸エチレングリコール、２−ヒドロキシエチルアクリレート、イソプロピレングリコール、メタクリル酸−２−ヒドロキシエチル、２−（２−クロロエトキシ）エタノール、エチレングリコールジメチルエーテル、トリエチレングリコールジメチルエーテル、１，３−ブタンジオール、ポリプロピレングリコールジグリシジルエーテル、エチレングリコールジグリシジルエーテル、１，５−ペンタンジオール、エチレントリグリコール、１，４−ブタンジオ−ル、テトラエチレングリコールジメチルエーテル、３−メチルー１，５−ペンタジオール、ポリエチレングリコールジグリシジルエーテル、グリセロールジグリシジルエーテル、メタンスルホン酸、ポリエチレングリコール、クロラール、ソルビトールポリグリシジルエーテル、チオジグリコール、イソアミルアルコール、メタクリルサン−ｎ−ブチル、３，５−ジメチル−１−ヘキシン−３−オール、ヒドロキシイソラクサンメチルエステル、ｍ−クロロベンゾトリフルオライド、メシチレン、モノクロロサクサンメチル、ｐ−クロロベンゾトリフルオライド、α−メチルスチレン、ピルビン酸メチル、無水酢酸、ジイソアミルエーテル、メタクリル酸−ｉ−ブチル、プソイドクュメン、ビニルトルエン、１，４−ジクロロブタン、ブロモベンゼン、ｎ−オクチルアルデヒド、イソ酪酸、酢酸シクロヘキシル、トリアリルトリメリテート、アリルグリシジルエーテル、エチレングリコールアセテート、ブチルヘミホルマール、ｏ−クロロベンゾトリフルオライド、フルフラール、ｐ−メチルスチレンモノマー、ベンズアルデド、３−メトキシ−１−ブチルアセテート、フェネトール、４．４−ジメトキシ−２−ブタノン、ブチルグリシジルエーテル、メチル３−メトキシアクリレート、クロロ炭酸−２−エトキシエチルエステル、１−メチルシクロヘキサノール、塩化ベンジル、シクロヘキシルアクリレート、無水イソ酪酸、グリシドール、塩化ベンゾイル、３−メチル−３−メトキシ−１−ブチルアセテート、無水プロピオン酸、ノニルアルコール、テトラヒドロフルフリルアルコール、チオアニソール、メタクリル酸、テトラヒドロナフタレン、ジクロロエチルエーテル、２−エチル−１−ヘキサノール、クロロタンサンフェニルエステル、フェニルグリシジルエーテル、ｏ−臭化トルエン、チオフェノール、��−クロロ−１−プロパノール、α−メチルナフタレン、アクリル酸−２−エチルヘキシル、デシルアルコール、ジメチル硫酸、ｎ−オクチルメルカプタン、クロトン酸、オクタノール、無水酪酸、乳酸ブチル、クロロ炭酸ベンジルエステル、メタクリル酸ベンジル、ネオペンチルグリコールジグリシジルエーテル、テトラヒドロフルフリルアクリレート、アセト酢酸アリル、イソホロン、マロン酸ジエチル、アクリル酸ブチル、２−ヒドロキシプロピルアクリレート、クロロ炭酸−２−エチルヘキシルエステル、ピルビン酸、モノ酢酸エチレングリコール、β−ブロモエチルベンゼン、クロロ炭酸−２−ブトキシエチルエステル、（３，４−ジメトキシフェニル）アセトン、ジエチレングリコールモノエチルエーテルアセテート、ジエチル硫酸、塩化−２−クロルエタンスルホニル、メタンスルホニルクロライト゛、オクタンジオール、ジメチル−１，３−アセトンカルボキシレート、トリクロロベンゼン、ペンタエリスリトールトリアリルエーテル、２−（１−シクロヘキセシル）シクロヘキサノン、アクリルサンジエチレングリコールエトキシレート、トリメチロールプロパンジアリルエーテル、オクチル酸、ジエチレングリコールモノブチルエーテル、ジフェニルサルファイド、２−フェノキシエタノール、ジエチレングリコールモノブチルエーテルアセテート、１，４−ブタンジオールジアクリレート、トリグリコールジクロライド、ｎ−ドデシルメルカプタン、チオグリコール酸、トリグリコールジメルカプタン、プロピレンカーボネート、メタクリル酸ラウリル、チオグリコール酸−２−エチルヘキシル、エトキシメチレンマロンサンジエチレン、フェノキシエチルアクリレート、１，６−ヘキサンジオールジアクリレート、トリアセチン、ビス（２−メルカプトエチル）サルファイト、ラウリルトリデシルアクリレート、フェニルキシリルエタン、トリメチルロールプロパントリアクリレート、ジ−ｔｅｒｔ．−ノニルポリサルファイド、ジブチルメチレンビス（チオグリコレート）、ポリエチレングリコールジグリシジルエーテル、テレフタル酸ジアリル、フタル酸ジアリルモノマー、イソフタル酸ジアリル、スルフォラン、ジエチレングリコールビスアリルカーボネート、トリエチレングリコール、１，２，６−ヘキサントリオール、ポリプロピレングリコール、ブチルフタリルブチルグリコレート、トリベンジルフェノール、グリセロールトリグリシジルエーテル、トリメチロールプロパンポリグリシジルエーテル、ペンタンエリストールトリアクリレート、メタリルクロライト゛、メタクリル酸テトラヒドロフルフリル、チオ酢酸、シクロヘキサノンジメチルアセタール、チオグリコール酸ブチル、メタクリル酸−２−ヒドロキシプロピル、メタクリル酸エチレングリコール、ヒドロキシジシクロペンタジエン、モノクロロ酢酸クロライト゛、メタクリル酸−１，３−ブチレングリコール、β−メルカプトプロピオン酸、メタクリル酸ジエチルアミノエチル、１−チオグリセロール、ヘキサヒドロフタル酸ジアリル、フマル酸クロライト゛、メタクリル酸トリエチレングリコール、メチルシクロヘキサノン、ヘキサデシルメルカプタン、ｏ−フェニルフェノールグリシジルエーテル、メタクリル酸トリメチロホ��プロパン、ジアリルクロレンデート、ベンジルメルカプタン、ジビニルベンゼン、メタクリル酸テトラエチレングリコール、グアヤコール、メタクリル酸シクロヘキシル、ジクロロエチルホルマール、グエコール、δ−バレロラクトン、３，５−キシレノール、メタクリル酸トリデシル、メタクリル酸−２−エチルヘキシル、フタル酸クロライト゛、１，２  −ジメチルシクロヘキサン、１，３−ジメチルシクロヘキサン、２−エチルヘキシルグリシジルエーテル、２−メチルオクチルグリシジルエーテル、ｎ−ステアリルアクリレート、ｓｅｃ−ブチルフェノールグリシジルエーテル、ｔ−ドデシルメルカプタン、β−メルカプトプロピオン酸−２−エチルヘキシル、β−メルカプトプロピオン酸−３−メトキシブチル、キシレノール、キシレン、グリオキシル酸、クロロ炭酸−２、２、２−トリクロロエチルエステル、ジブロモクレジルグリシジルエーテル、スチレンオキサイド、チオグリコール酸メトキシブチル、トリデシルアルコール、トリメチロールプロパントリス、トリメチロールプロパントリス（チオグリコレート）、ビニルスルホン酸ナトリウム、フルフリルメルカプタン、ヘプタノール、ポリメチレンポリフェニルポリイソシアネート、メタクリル酸−ｔ−ブチル、メタクリル酸グリシジル、メチルナフタレンの群から選ばれる１種または２種以上である請求項１または２いずれかに記載の液状組成物。
【請求項４】
染料が、酸性染料、塩基性染料、媒染染料、酸性媒染染料、直接染料、分散染料、硫化染料、建染め染料、アゾイック染料、酸化染料、反応染料、油溶染料、食品用色素、天然色素、けい光増白剤の群から選ばれる１種または２種以上である請求項１〜３のいずれかに記載の液状組成物。
【請求項５】
染料が、食品用色素及びアリザリングリーンＧ、キニザリングリーンＳＳ、ブリリアントグリーン、メチレンブルー、サンイエロー、ズダンエローＧＧである請求項１〜４のいずかに記載の液状組成物。
【請求項６】
食用天然色素が、カロチノイド系、フラボノイド系、ポルフィリン系及び、ウコン色素（クルクミン）、ベニコウジ黄色素（キサントモナシン類）、ベニコウジ色素（モナスコルブリン、アンカフラビン）、クチナシ色素、ビートレット（ベタイン系のベタニン、イソベタニン）、銅クロロフィリンナトリウム、クチナシ青色素、スピルリナ色素（フィコシアニン）、植物炭末色素、カラメル色素である請求項１〜５のいずれかに記載の液状組成物。
【請求項７】
（ａ）分子中に窒素原子を含有しない溶媒として、γ−ブチロラクトンとジメチルスルホキシド（ＤＭＳＯ）又はジプロピレングリコールを使用し、（ｂ）染料、（ｃ）生理活性成分を含有することを特徴とする請求項２〜６いずれかに記載の液状組成物。
【請求項８】
農業用生理活性成分を含む液状組成物である請求項２〜７のいずれかに記載の液状組成物。
【請求項９】
液状組成物中に水分を０．０１〜５０重量％含有する請求項２〜８のいずれかに記載の液状組成物
【請求項１０】
溶媒に溶けない染料を水に溶解した後に他成分を混合する請求項２〜９のいずれかに記載の液状組成物の製造方法。
【発明の詳細な説明】
【技術分野】
【０００１】
本発明は、分子中に窒素原子を含まない溶媒を用いた、染料の光安定性に優れた液状組成物に関する。
【背景技術】
【０００２】
染料は一般的に光に対して不安定であることが知られている。粉状または固形組成物中においては組成物中の固体粒子によって光が遮られるため、光に対する安定性が問題となることは少ない。しかし、固体粒子を含まない液状の組成物に染料を配合した場合には、遮光容器等を用いた場合においても、透過するわずかな光によって染料の分解が進み、製造直後と異なる色調になってしまうことが多かった。
【０００３】
成分安定化剤としてクエン酸、リンゴ酸、コハク酸、マレイン酸、グリコール酸、グルコン酸等の有機酸、ホウ酸、リン酸、硫酸、塩酸等の無機酸を使用することを特徴とする、殺菌活性成分、界面活性剤、成分安定化剤及び水からなる予め水で希釈された希薄な、長期間にわたって活性成分が安定に保持されている水性園芸用殺菌組成物が知られている。（たとえば特許文献１参照）
動物の外部寄生虫防除において動物に対する安全性に優れ、高い効力を有するのみならず、該効力を長期間持続し得る、１−メチルー２−ニトロー３ー［（３−テトラヒドロフリル）メチル］グアニジン及びＮ−メチルー２−ピロリドンを主とする溶剤を含有する動物外部寄生虫防除用経皮投与剤経皮投与剤が知られている。（たとえば特許文献２参照）
植物内に吸収され植物内の水分を保持するための保湿剤と、植物が保存剤を吸収するのを促進させるための加速剤を含み、加速剤が乳酸メチル、Ｎ，Ｎ−ジメチルアセトアミド、ジエチレングリコールモノブチルエーテルなどの１種または２種以上からなる植物の保存剤が知られている。（たとえば特許文献３参照）
多価アルコールおよび高分子化合物から選ばれた１種以上の組成物を含む保存剤の吸収を促進させるために、アルカリ金属の塩類、界面活性剤、乳酸メチルなどの加速剤が含まれてもよい、天然のラベンダーの形態、感触を変えることなく、且つ花部に芳香を保ちながら長期間保存できる保存剤が知られている。（たとえば特許文献４参照）
インクジェット記録に適する色相と鮮明性を有し、且つ記録物の耐光性、耐水性及び耐湿性が優れ、耐オゾンガス性については変退色  度合いをコントロールすることができる水性イエローインク組成物が知られている。（たとえば特許文献５参照）
上記いずれの組成物も同時に染料を含有しても良い旨記載し、実施例等に具体的な記載があるが、組成物中の染料の安定性について何らの記載もない。また、これらの組成物製剤は、わずかな光に対しても、染料の分解が進み、長期に渡り製造直後の色調を十分に保つことができるものではなかった。
【特許文献１】特開平１０−８７４０３号公報
【特許文献２】特開２００３−８１７１９号公報
【特許文献３】特開平７−２７７９０１号公報
【特許文献４】特開平８−２０５０２号公報
【特許文献５】特開２００３−３２１６２７号公報
【発明の開示】
【発明が解決しようとする課題】
【０００４】
本発明は、光による染料の分解を抑制する液状組成物に関することを課題とする。
【課題を解決するための手段】
【０００５】
本発明は、（１）（ａ）分子中に窒素原子を含有しない溶媒及び、（ｂ）染料を含有する液状組成物、
（２）（ａ）分子中に窒素原子を含まない溶媒及び、（ｂ）染料及び、（ｃ）生理活性成分を含有する液状組成物、
（３）分子中に窒素原子を含有しない溶媒が、γ−ブチロラクトン、ジメチルスルホキシド（ＤＭＳＯ）、エチレングリコール、ジエチレングリコール、プロピレングリコール、ジプロピレングリコール、ヘキシレングリコール、テトラヒドロフルフリルアルコール、グリセリン、ジエチレングリコールモノメチルエーテル、トリエチレングリコールモノメチルエーテル、シクロヘキサノン、プロピレンクロロヒドリン、プロピオン酸、乳酸エチル、アクリル酸、乳酸メチル、エチレンクロロヒドリン、エチレングリコールモノブチルエーテル、３−メトキシ−１−ブタノール、２−メルカプトエタノール、シクロヘキサノール、ジエチレングリコールジメチルエーテル、３−メチル−３−メトキシ−１−ブタノール、アセト酢酸メチル、ブチルジグリコール、フルフリルアルコール、アセト酢酸エチル、４−ヒドロキシー２−ブタノン、エチレンジグリコール、ジ酢酸エチレングリコール、２−ヒドロキシエチルアクリレート、イソプロピレングリコール、メタクリル酸−２−ヒドロキシエチル、２−（２−クロロエトキシ）エタノール、エチレングリコールジメチルエーテル、トリエチレングリコールジメチルエーテル、１，３−ブタンジオール、ポリプロピレングリコールジグリシジルエーテル、エチレングリコールジグリシジルエーテル、１，５−ペンタンジオール、エチレントリグリコール、１，４−ブタンジオ−ル、テトラエチレングリコールジメチルエーテル、３−メチルー１，５−ペンタジオール、ポリエチレングリコールジグリシジルエーテル、グリセロールジグリシジルエーテル、メタンスルホン酸、ポリエチレングリコール、クロラール、ソルビトールポリグリシジルエーテル、チオジグリコール、イソアミルアルコール、メタクリルサン−ｎ−ブチル、３，５−ジメチル−１−ヘキシン−３−オール、ヒドロキシイソラクサンメチルエステル、ｍ−クロロベンゾトリフルオライド、メシチレン、モノクロロサクサンメチル、ｐ−クロロベンゾトリフルオライド、α−メチルスチレン、ピルビン酸メチル、無水酢酸、ジイソアミルエーテル、メタクリル酸−ｉ−ブチル、プソイドクュメン、ビニルトルエン、１，４−ジクロロブタン、ブロモベンゼン、ｎ−オクチルアルデヒド、イソ酪酸、酢酸シクロヘキシル、トリアリルトリメリテート、アリルグリシジルエーテル、エチレングリコールアセテート、ブチルヘミホルマール、ｏ−クロロベンゾトリフルオライド、フルフラール、ｐ−メチルスチレンモノマー、ベンズアルデド、３−メトキシ−１−ブチルアセテート、フェネトール、４．４−ジメトキシ−２−ブタノン、ブチルグリシジルエーテル、メチル３−メトキシアクリレート、クロロ炭酸−２−エトキシエチルエステル、１−メチルシクロヘキサノール、塩化ベンジル、シクロヘキシルアクリレート、無水イソ酪酸、グリシドール、塩化ベンゾイル、３−メチル−３−メトキシ−１−ブチルアセテート、無水プロピオン酸、ノニルアルコール、テトラヒドロフルフリルアルコール、チオアニソール、メタクリル酸、テトラヒドロナフタレン、ジクロロエチルエーテル、２−エチル−１−ヘキサノール、クロロタンサンフェニルエステル、フェニルグリシジルエーテル、ｏ−臭化トルエン、チオフェノ��ル、３−クロロ−１−プロパノール、α−メチルナフタレン、アクリル酸−２−エチルヘキシル、デシルアルコール、ジメチル硫酸、ｎ−オクチルメルカプタン、クロトン酸、オクタノール、無水酪酸、乳酸ブチル、クロロ炭酸ベンジルエステル、メタクリル酸ベンジル、ネオペンチルグリコールジグリシジルエーテル、テトラヒドロフルフリルアクリレート、アセト酢酸アリル、イソホロン、マロン酸ジエチル、アクリル酸ブチル、２−ヒドロキシプロピルアクリレート、クロロ炭酸−２−エチルヘキシルエステル、ピルビン酸、モノ酢酸エチレングリコール、β−ブロモエチルベンゼン、クロロ炭酸−２−ブトキシエチルエステル、（３，４−ジメトキシフェニル）アセトン、ジエチレングリコールモノエチルエーテルアセテート、ジエチル硫酸、塩化−２−クロルエタンスルホニル、メタンスルホニルクロライト゛、オクタンジオール、ジメチル−１，３−アセトンカルボキシレート、トリクロロベンゼン、ペンタエリスリトールトリアリルエーテル、２−（１−シクロヘキセシル）シクロヘキサノン、アクリルサンジエチレングリコールエトキシレート、トリメチロールプロパンジアリルエーテル、オクチル酸、ジエチレングリコールモノブチルエーテル、ジフェニルサルファイド、２−フェノキシエタノール、ジエチレングリコールモノブチルエーテルアセテート、１，４−ブタンジオールジアクリレート、トリグリコールジクロライド、ｎ−ドデシルメルカプタン、チオグリコール酸、トリグリコールジメルカプタン、プロピレンカーボネート、メタクリル酸ラウリル、チオグリコール酸−２−エチルヘキシル、エトキシメチレンマロンサンジエチレン、フェノキシエチルアクリレート、１，６−ヘキサンジオールジアクリレート、トリアセチン、ビス（２−メルカプトエチル）サルファイト、ラウリルトリデシルアクリレート、フェニルキシリルエタン、トリメチルロールプロパントリアクリレート、ジ−ｔｅｒｔ．−ノニルポリサルファイド、ジブチルメチレンビス（チオグリコレート）、ポリエチレングリコールジグリシジルエーテル、テレフタル酸ジアリル、フタル酸ジアリルモノマー、イソフタル酸ジアリル、スルフォラン、ジエチレングリコールビスアリルカーボネート、トリエチレングリコール、１，２，６−ヘキサントリオール、ポリプロピレングリコール、ブチルフタリルブチルグリコレート、トリベンジルフェノール、グリセロールトリグリシジルエーテル、トリメチロールプロパンポリグリシジルエーテル、ペンタンエリストールトリアクリレート、メタリルクロライト゛、メタクリル酸テトラヒドロフルフリル、チオ酢酸、シクロヘキサノンジメチルアセタール、チオグリコール酸ブチル、メタクリル酸−２−ヒドロキシプロピル、メタクリル酸エチレングリコール、ヒドロキシジシクロペンタジエン、モノクロロ酢酸クロライト゛、メタクリル酸−１，３−ブチレングリコール、β−メルカプトプロピオン酸、メタクリル酸ジエチルアミノエチル、１−チオグリセロール、ヘキサヒドロフタル酸ジアリル、フマル酸クロライト゛、メタクリル酸トリエチレングリコール、メチルシクロヘキサノン、ヘキサデシルメルカプタン、ｏ−フェニルフェノールグリシジルエーテル、メタクリル酸トリメ��ロホルプロパン、ジアリルクロレンデート、ベンジルメルカプタン、ジビニルベンゼン、メタクリル酸テトラエチレングリコール、グアヤコール、メタクリル酸シクロヘキシル、ジクロロエチルホルマール、グエコール、δ−バレロラクトン、３，５−キシレノール、メタクリル酸トリデシル、メタクリル酸−２−エチルヘキシル、フタル酸クロライト゛、１，２−ジメチルシクロヘキサン、１，３−ジメチルシクロヘキサン、２−エチルヘキシルグリシジルエーテル、２−メチルオクチルグリシジルエーテル、ｎ−ステアリルアクリレート、ｓｅｃ−ブチルフェノールグリシジルエーテル、ｔ−ドデシルメルカプタン、β−メルカプトプロピオン酸−２−エチルヘキシル、β−メルカプトプロピオン酸−３−メトキシブチル、キシレノール、キシレン、グリオキシル酸、クロロ炭酸−２、２、２−トリクロロエチルエステル、ジブロモクレジルグリシジルエーテル、スチレンオキサイド、チオグリコール酸メトキシブチル、トリデシルアルコール、トリメチロールプロパントリス、トリメチロールプロパントリス（チオグリコレート）、ビニルスルホン酸ナトリウム、フルフリルメルカプタン、ヘプタノール、ポリメチレンポリフェニルポリイソシアネート、メタクリル酸−ｔ−ブチル、メタクリル酸グリシジル、メチルナフタレンの群から選ばれる１種または２種以上である（１）または（２）いずれかに記載の液状組成物、
（４）染料が、酸性染料、塩基性染料、媒染染料、酸性媒染染料、直接染料、分散染料、硫化染料、建染め染料、アゾイック染料、酸化染料、反応染料、油溶染料、食品用色素、天然色素、けい光増白剤の群から選ばれる１種または２種以上である（１）〜（３）のいずれかに記載の液状組成物、
（５）染料が、食品用色素及びアリザリングリーンＧ、キニザリングリーンＳＳ、ブリリアントグリーン、メチレンブルー、サンイエロー、ズダンエローＧＧである（１）〜（４）のいずかに記載の液状組成物、
（６）食用天然色素が、カロチノイド系、フラボノイド系、ポルフィリン系及び、ウコン色素（クルクミン）、ベニコウジ黄色素（キサントモナシン類）、ベニコウジ色素（モナスコルブリン、アンカフラビン）、クチナシ色素、ビートレット（ベタイン系のベタニン、イソベタニン）、銅クロロフィリンナトリウム、クチナシ青色素、スピルリナ色素（フィコシアニン）、植物炭末色素、カラメル色素である（１）〜（５）のいずれかに記載の液状組成物、
（７）（ａ）分子中に窒素原子を含有しない溶媒として、γ−ブチロラクトンとジメチルスルホキシド（ＤＭＳＯ）又はジプロピレングリコールを使用し、（ｂ）染料、（ｃ）生理活性成分を含有することを特徴とする請求項２〜６いずれかに記載の液状組成物、
（８）農業用生理活性成分を含む液状組成物である（２）〜（７）のいずれかに記載の液状組成物、
（９）液状組成物中に水分を０．０１〜５０重量％含有する（２）〜（８）のいずれかに記載の液状組成物、
（１０）溶媒に溶けない染料を水に溶解した後に他成分を混合する（２）〜（９）のいずれかに記載の液状組成物の製造方法、である。
【発明を実施するための最良の形態】
【０００６】
色素とは、物質に色を与える成分、物質が色を呈する元になるものであり、染料と顔料が挙げられる。染料は水、アルコールや溶媒に溶解して発色させるものであり、顔料は、水、アルコールや溶媒には不溶で微粉末を適当な媒体で分散させて使用する。本発明では、染料を主に使用する。
【０００７】
本発明の染料とは、可視光線を選択的に吸収して固有の色を持つ物質（色素）の内、適当な染色方法によって繊維等に染着し、かつ、日光、洗濯、摩擦など日常遭遇する外的条件に対して相当な堅ろう度を示すものをいう。
【０００８】
本発明で使用する染料は限定されるものではないが、具体的には、酸性染料、塩基性染料、媒染染料、酸性媒染染料、直接染料、分散染料、硫化染料、建染め染料、アゾイック染料、酸化染料、反応染料、油溶染料、食品用色素、天然色素、または、けい光増白剤などが挙げられる。
【０００９】
酸性染料とは、スルホン酸基、カルボキシル基等の酸性の親水性基をもつ水溶性染料であり、代表的なものとしてＡｃｉｄ  Ｏｒａｎｇｅ７（ＯｒａｎｇｅＩＩ）、Ｍｅｔｈｙｌ  Ｒｅｄ等が挙げられる。
【００１０】
塩基性染料とは、アミノ基、置換アミノ基、あるいは複素環窒素など塩基性基を含むカチオンと無色のアニオンで塩を形成している染料であり、代表的なものとして、クリスタルバイオレット、ビスマルクブラウンＧやＢａｓｉｃ  Ｂｌｕｅ  ９（Ｍｅｔｈｙｌｅｎｅ  Ｂｌｕｅ）等が挙げられる。
【００１１】
媒染染料とは、あらかじめ水溶性金属塩（媒染剤）で繊維を処理、加熱か水分解して金属酸化物をしたのち染色することにより繊維上に不溶性金属錯塩化合物を生じて染着する染料であり、代表的なものとして、アリザリン、Ｍｏｒｄａｎｔ  Ｒｅｄ  １１等が挙げられる。
【００１２】
酸性媒染染料とは、酸性染料と媒染染料の両方の性質をもつ染料であり、代表的なものとしてエリオクロムブラックＴ、Ｍｏｒｄａｎｔ  Ｂｌａｃｋ  ３等が挙げられる。
【００１３】
直接染料とは、木綿やレーヨンなどのセルロース繊維に直接染着することのできる水溶性の染料であり、代表的なものとしてコンゴーレット、Ｄｉｒｅｃｔ  Ｒｅｄ  ２等が挙げられる。
【００１４】
分散染料とは、疎水性繊維を水に不溶性の染料を分散浴から染色する為の染料であり、代表的なものとしてＤｉｓｐｅｒｓｅ  Ｒｅｄ  ７３、Ｄｉｓｐｅｒｓｅ  Ｏｒａｎｇｅ  ３、Ｄｉｓｐｅｒｓｅ  Ｒｅｄ  １７、Ｄｉｓｐｅｒｓｅ  Ｖｉｏｌｅｔ  １等が挙げられる。
【００１５】
硫化染料とは、アミノフェノール、インドフェノール、ニトロフェノールなどの比較的簡単な芳香族化合物を硫化ナトリウムあるいは硫黄と溶融（加硫）することにより生成する含硫黄染料であり、代表的なものとしてサルファーブラックＢ等が挙げられる。
【００１６】
建染め染料とはバット染料ともいい、本来水に不溶の染料であるが、アルカリの存在で還元して水溶性（ロイコ化合物のアルカリ塩）とし、この状態で繊維に染着させたのち空気に接触させて酸化し、もとの染料を繊維上で再生させる染法を行う染料であり、代表的なものとしてＶａｔ  Ｒｅｄ  １、Ｖａｔ  Ｂｌｕｅ  １（Ｉｎｄｉｇｏ）等が挙げられる。
アゾイック染料とは、それぞれ水溶性の２成分（ジアゾ成分とカップリング成分）をセルロース繊維上で反応（カップリング）させ、水に不溶のアゾ染料となし染色の目的を達成するもので既製の染料ではない。代表的なものとして下づけ剤としてＮａｐｈｔｏｌ  ＡＳ等、顕色剤として  Ｆａｓｔ  Ｂｌｕｅ  Ｂ  Ｂａｓｅ等が挙げられる。
【００１７】
酸化染料とは、繊維上で芳香族アミン、ジアミン、あるいはアミノフェノール類を酸化することによって不溶性染料を生成させる染色法をとる染料であり、代表的なものとしてアニリンを酸化するアニリンブラック等が挙げられる。
【００１８】
反応染料とは、反応性染料ともいい、繊維と共有結合を形成して染着する染料である。代表的なものとして、Ｒｅａｃｔｉｖｅ  Ｒｅｄ  ２４等が挙げられる。
【００１９】
油溶染料とは、油溶性染料ともいう。水溶性はなく鉱油、精油、油脂をはじめ多くの有機溶媒に可溶の染料であり、代表的なものとしてＳｏｌｖｅｎｔ  Ｒｅｄ  ２４等が挙げられる。
【００２０】
食品用色素とは、食品添加物として使用できる染料であり、食用赤色２号（Ａｍａｒａｍｔｈ：アマランス）、食用赤色３号（Ｅｒｙｔｈｒｏｓｉｎｅ；エリスロシン）、食用赤色１０２号（Ｎｅｗ  Ｃｏｃｃｉｎｅ；ニューコクシン）、食用赤色１０４号（Ｐｈｌｏｘｉｎｅ；フロキシン）、食用赤色１０５号（Ｒｏｓｅ  Ｂｅｎｇａｌ；ローズベンガル）、食用１０６号（Ａｃｉｄ  Ｒｅｄ  アシドレッド）、食用黄色４号（Ｔａｒｔｒａｚｉｎｅ；タートラジン）、食用黄色５号（Ｓｕｎｓｅｔ  Ｙｅｌｌｏｗ  ＦＣＦ；サンセット  イエローＦＣＦ）、食用緑色３号（Ｆａｓｔ  ＧｒｅｅｎＦＣＦ；ファーストグリーンＦＣＦ）、食用青色１号（Ｂｒｉｌｌｉａｎｔ  Ｂｌｕｅ；ブリリアントブルーＦＣＦ）、食用青色２号（Ｉｎｄｉｇｏ  Ｃａｒｍｉｎｅ；インジゴーカーミン）、食用赤色４０号（アルラレッドＡＣ）等が挙げられる。
【００２１】
天然色素とは、慣習的に食品として用いられた天然のものから抽出された染料であり、カロチノイド系のクチナシ黄色素（クロシン、クロセチン）、アトナー色素（ビキシン、ノルビキシン）、パプリカ抽出色素（カプサンチン）、ニンジン色素（β−カロチン）、トマト色素（リコピン）、マリーゴールド色素（カロチノイド、フラボノイド）、β−アポー８−カロチナール、カンタキサンチン、トウガラシ色素、フラボノイド系の、タマネギ色素、シアナット色素、ペカンナッツ色素、チコリ色素、カルコン系のベニバナ黄色素（サフロミン）、ベニバナン赤色素（カルタミン）、アントシアニン系のシソ色素（シソニン、マロニルシソニン）、アカキャベツ色素（シアニジンアシルグリコシド）、アカダイコン色素（ペラルゴニジンアシルグリコシド）、ムラサキイモ色素（シアニジンアシルグルコシド、ペオニジンアシルグルコシド）、ムラサキトウモロコシ色素、ブドウ果皮色素（エノシアニン）、エルダーベリー色素（シアニジングリコシド、デルフィニジングリコシド）、ブドウ果汁色素、ブルーベリー色素、ハイビスカス色素、フラボン系のココア色素、カキ色素（フラボノイド）、タマリンド色素、コウリャン色素（アピゲニニジン、ルテオリニジン）フラボノール系のカロブ色素、甘草抽出色素、ポルフィリン系のクロロフィル、アントラキノン系のコチニール色素（カルミン酸）、ラック色素（ラッカイン酸類）、アカネ色素（アリザリン、ルベリトリン酸）、その他、ウコン色素（クルクミン）、ベニコウジ黄色素（キサントモナシン類）、ベニコウジ色素（モナスコルブリン、アンカフラビン）、クチナシ色素、ビートレット（ベタイン系のベタニン、イソベタニン）、銅クロロフィリンナトリウム、クチナシ青色素、スピルリナ色素（フィコシアニン）、植物炭末色素、カラメル色素等が挙げられる。
【００２２】
けい光増白剤とは、青から紫色にけい光を発することにより、繊維特有の淡黄色を補色して純白に見せる染料であり、代表的なものとしてＢｌａｎｋｏｐｈｏｒ  Ｂ等が挙げられる。
【００２３】
本発明で使用する染料としては、特に食品用色素、天然色素、その他としてアリザリングリーンＧ、キニザリングリーンＳＳ、ブリリアントグリーン、メチレンブルー、サンイエロー、ズダンエローＧＧ、エオシンＹ等の１種または２種類以上を使用するのが好ましく、さらにこれらの中でも食用赤色２号（Ａｍａｒａｍｔｈ：アマランス）、食用赤色３号（Ｅｒｙｔｈｒｏｓｉｎｅ；エリスロシン）食用赤色１０４号（Ｐｈｌｏｘｉｎｅ；フロキシン）、食用赤色１０５号（Ｒｏｓｅ  Ｂｅｎｇａｌ；ローズベンガル）、食用黄色４号（Ｔａｒｔｒａｚｉｎｅ；タートラジン）、食用黄色５号（Ｓｕｎｓｅｔ  Ｙｅｌｌｏｗ  ＦＣＦ；サンセット  イエローＦＣＦ）、食用緑色３号（Ｆａｓｔ  ＧｒｅｅｎＦＣＦ；ファーストグリーンＦＣＦ）、食用青色１号（Ｂｒｉｌｌｉａｎｔ  Ｂｌｕｅ；ブリリアントブルーＦＣＦ）、食用赤色４０号（アルラレッドＡＣ）、アリザリングリーンＧ、キニザリングリーンＳＳ、ブリリアントグリーン、メチレンブルー、の群から選ばれる１種また２種類以上を好適に用いることができる。
本発明の組成物には１種または２種以上の生理活性成分を配合することができる。
本発明で使用される生理活性成分は、液状か固体か、あるいは有機化合物か無機化合物か、または単一化合物か混合物か等によって限定されるものではなく、具体的には、下記に示す殺菌剤、殺虫剤、殺ダニ剤、植物生長調節剤、除草剤、殺そ剤、防菌剤、防かび剤、防藻等を例示することができる。尚、これらの生理活性成分は、１種または２種以上を混合して用いることができる。
殺菌剤としては、ＣＮＡ，ＤＰＣ，ＥＤＤＰ，ＩＢＰ，ＰＣＮＢ，ＴＰＮ，アグロバクテリウム，イソプロチオラン，イプコナゾール，イプロジオン，イミノクタジンアルベシル酸塩，イミノクタジン酢酸塩，イミベンコナゾール，エクロメゾール，オキサジキシル，オキシカルボキシン，オキシテトラサイクリン，オキシン銅，オキソリニック酸，カスガマイシン，カルベンダゾール，キノキサリン，キャプタン，クロロネブ，ジエトフェンカルブ，ジクロメジン，ジチアノン，ジネブ，ジフェノコナゾール，シプロコナゾール，ジメチリモール，ジラム，ストレプトマイシン，スルフェン酸系（ジクロフルアニド）  ，ダゾメット，チアジアジン，チアベンダゾール，チオファネートメチル，チリアジン，テクロフタラム，テブコナゾール，テレフタル酸銅，トリアジメホン，トリアジン，トリクラミド，トリシクラゾール，トリフルミゾール，トリホリン，トルクロホスメチル，ノニルフェノールスルホン酸銅，バリダマイシン，ビテルタノール，ヒドロキシイソキサゾール，ピラゾホス，ピリフェノックス，ピロキロン，ビンクロゾリン，フェナリモル，フェリムゾン，フサライド，ブラストサイジン，フルアジナム，フルオルイミド，フルスルファミド，フルトラニル，プロクロラズ，プロシミドン，プロパモカルブ塩酸塩，プロピコナゾール，プロピネブ，プロベナゾール，ヘキサコナゾール，ペフラゾエート，ペンシクロン，ベンチアゾール，ホセチル，ポリオキシン，ポリカーバメート，ミクロブタニル，ミルディオマイシン，メタスルホカルブ，メタラキシル，メパニピリム，メプロニル，硫酸銅プロベナゾールなどが挙げられる。
殺虫剤としては、ＢＰＭＣ，ＢＰＰＳ，ＢＲＰ，ＣＰＣＢＳ，ＣＶＭＰ，ＣＶＰ，ＣＹＡＰ，ＤＣＩＰ，ＤＥＰ，ＥＣＰ，ＥＰＮ，ＥＳＰ，ＭＩＰＣ，ＭＰＭＣ，ＭＰＰ，ＭＴＭＣ，ＰＡＰ，ＰＨＣ，ＰＭＰ，ＸＭＣ，アクリナトリン，アセタミプリド，アセフェート，アミトラズ，アラニカルブ，アレスリン，イソキサチオン，イソフェンホス，イミダクロプリド，エチオフェンカルブ，エチオン，エチルチオメトン，エトフェンプロックス，エトプロホスＭＣ，エトリムホス，オキサミル，オレイン酸ナトリウム，カルタップ，カルボスルファン，キナルホス，クロフェンテジン，クロルピリホス，クロルピリホスメチル，クロルフルアズロン，クロルベンジレート，ケルセン，サリチオン，ジエノクロル，シクロプロトリン，シハロトリン，シフルトリン，ジフルベンズロン，シペルメトリン，ジメチルビンホス，ジメトエート，シロマジン，スルプロホス，ダイアジノン，チオジカルブ，チオメトン，テトラジホン，テブフェンピラド，テフルトリン，テフルベンズロン，トラロメトリン，ニテンピラム，バミドチオン，ハルフェンプロックス，ビフェントリン，ピラクロホス，ピリダフェンチオン，ピリダベン，ピリミカーブ，ピリミジフェン，ピリミホスメチル，フィプロニル，フェニソブロモレート，フェノキシカルブ，フェノチオカルブ，フェンバレレート，フェンピロキシメート，フェンプロパトリン，ブプロフェジン，フラチオカルブ，フルシトリネート，プロチオホス，プロパホス，プロフェノホス，ヘキシチアゾクス，ペルメトリン，ベンスルタップ，ベンゾエピン，ベンゾメート，ベンダイオカルブ，ベンフラカルブ，ホサロン，ホスチアゼート，ポリナクチン複合体，ポリブテン，ホルモチオン，マラソン，メスルフェンホス，メソミル，メタアルデヒド，モノクロトホス，レスメトリン，塩酸レバミゾール，酸化フェンブタスズ，酒石酸モランテルなどが挙げられる。
除草剤としては、２，４−ＰＡ，ＡＣＮ，ＣＮＰ，ＤＡＰ，ＤＢＮ，ＤＣＢＮ，ＤＣＭＵ，ＤＣＰＡ，ＤＰＡ，ＤＳＭＡ，ＩＰＣ，ＭＢＰＭＣ，ＭＣＣ，ＭＣＰ，ＭＣＰＢ，ＭＣＰＰ，ＭＤＢＡ，ＰＡＣ，ＳＡＰ，ＴＣＡ，ＴＣＴＰ，アイオキシニル，アシュラム，アトラジン，アミプロホスメチル，アメトリン，アラクロール，アロキシジム，イソウロン，イソキサベン，イマザピル，イマゾスルフロン，エスプロカルブ，エチジムロン，オキサジアゾン，オルソベンカーブ，カルブチレート，キザロホップエチル，キンクロラック，グリホサート，クロメトキシニル，クロメプロップ，クロルフタリム，シアナジン，シアン酸ナトリウム，ジクワット，ジチオピル，シデュロン，シノスルフロン，ジフェナミド，シマジン，ジメタメトリン，シメトリン，ジメピペレート，ターバシル，ダイムロン，チアザフルロン，チフェンスルフロンメチル，テトラピオン，テニルクロール，テブチウロン，トリクロピル，トリフルラリン，ナプロアニリド，ナプロパミド，パラコート，ビアラホス，ピクロラム，ビフェノックス，ピペロホス，ピラゾキシフェン，ピラゾスルフロンエチル，ピラゾレート，ピリブチカルブ，フェノキサプロップエチル，フェノチオール，フェンメディファム，ブタクロール，ブタミホス，フラザスルフロン，フルアジホップ，プレチラクロール，プロジアミン，プロピザミド，ブロマシル，プロメトリン，ブロモブチド，ヘキサジノン，ベスロジン，ベンスルフロンメチル，ベンゾフェナップ，ベンタゾン，ベンチオカーブ，ペンディメタリン，ホサミンアンモニウム，メチルダイムロン，メトスルフロンメチル，メトラクロール，メトリブジン，メフェナセット，モリネート，リニュロン，レナシルなどが挙げられる。
【００２４】
殺そ剤としては、クマリン系、クロロファシノン、硫酸タリウム、モノフルオル酢酸ナトリウム、リン化亜鉛等があげられる。
【００２５】
防菌・防かび・防藻剤として、トリアルキルトリアミン、エタノール、イソプロピルアルコール、プロピルアルコール、トリスニトロ、クロロブタノール、プロノポール、グルタルアルデヒド、ホルムアルデヒド、α−ブロムシンアムアルデヒド、スケーンＭ−８、ケーソンＣＧ、ＮＳ−５００Ｗ、ＢＩＴ、ｎ−ブチルＢＩＴ、アソチオシアン酸アリル、チアベンダゾール、２−ベンツイミダゾリルカルバミン酸メチル、ラウリシジン、バイオバン、トリクロカルバン、ハロカルバン、グラシイシカル、安息香酸、ソルビン酸、カプリル酸、プロピオン酸、１０−ウンデシレン酸、ソルビン酸カリウム、プロピオン酸カリウム、安息香酸カリウム、フタル酸モノマグネシウム、ウンデシレン酸亜鉛、８−ヒドロキシキノリン、キノリン銅、ＴＭＴＤ、トリクロサン、ジクロヘルアニリド、トリフルアニド、しらこタンバク、卵白リゾチーム、ベンチアゾール、カーバムナトリウム、トリアジン、テビコナゾール、ヒノキチオール、テトラクロロイソフタロニトリル、テクタマール３８、グルコン酸クロルヘキシジン、クロルヘキシジン塩酸塩、ポリヘキサメチレンビグアナイド、ポリビグアナイド塩酸塩、ダントプロム、クライダント、ピリチオンナトリウム、ジンクピリチオン、デンシル、カッパーピリチオン、チモール、イソプロピルメチルフェノール、ＯＰＰ、フェノール、ブチルバラペン、エチルパラベン、メチルパラペン、プロピルパラペン、メタクレゾール、オルトクレゾール、パラクレゾール、オルトフェニルフェノールナトリウム、クロロフェン、パラクロルフェノール、パラクロロメタキシレート、パラクロロクレゾール、フルオロフォルペット、ポリリジン、バイオパンＰ−１４８７、ジョートメチルパラトリルスルフォン、ポリビニルピロリドンパラクロロイソシアネル、過酸化水素、安定化二酸化塩素、過酢酸、ナフテン酸銅、ノパロンＡＧ３００、塩化銀、酸化チタン、銀、リン酸亜鉛カルシウム、シルバーエース、銀亜鉛アルミノケイ酸塩、銀亜鉛ゼオライト、ノバロンＡＧＺ３３０、ホロンキラー、ダイマー１３６、ペンザルコニウムクロライド、ジデシルジメチルアンモニウムクロライド、バーダック２２５０／８０、塩化ベンゾトニウム、ハイアミｎ３５００Ｊ、臭化セチルアンモニウム、セトリミド、ＣＴＡＢ、セタブロン、ダイマー３８、塩化ペンザルコニウム、ハイアミン３５００Ｊバーダック１７０Ｐ、ＤＣ−５７００、セチルピリジニウムクロライド、キトサン、デュウロン、ＤＣＭＵ、プリペントールＡ６、ＣＭＩ、２Ｃｌ−ＯＩＴ、ＢＣＭ、ＺＰＴ、ＢＮＰ、ＯＩＴ、ＩＰＢＣ、ＴＣＭＳＰ等が挙げられる。
【００２６】
植物成長調製剤としては、アブシジン酸、イナベエンフィド、インドール酪酸、ウニコナゾール、エチクロゼート、エテホン、オキシエチレンドコサノール、オキシン硫酸塩、塩化カルシウム、硫酸カルシウム、過酸化カルシウム、キノキサリン、ＤＥＰ、クロキシホナック、クロルメート、クロレラ抽出液、塩化コリン、シアナミド、ジクロルプロップ、ジベレリンダミノジット、デシルアルコール、トリネキサパックエチル、パクロブトラゾール、パラフィン、ピペロニルブトキシド、ピフルフェンエチル、フルルプリミドール、プロヒドロジャスモン、プロヘキサジオンカルシウム塩、ベンジルアミノプリン、ペンディメタリン、ベンフラカルブ、イナベンフェイドホルクロルフェニュロン、マレイン酸ヒドラジドカリウム、メピコートクロリド、１−ナフチルアセトアミド、４−ＣＰＡ、ＭＣＰＡチオエチル、ＭＣＰＢなどが挙げられる。
これらの生理活性成分有効成分の製剤中への添加量は特に限定されるものではなく、一般的には製剤全量の０．００１〜９９重量％、好ましくは０．１〜６０重量％である。
【００２７】
本発明の組成物には必用に応じ１種または２種以上の界面活性剤を配合することができる。非イオン性界面活性剤としては、ポリオキシアルキレン非イオン性界面活性剤、さらに具体的にポリオキシアルキレンアルキルエーテル、ポリオキシアルキレンアルキルフェニルエーテル、ポリオキシアルキレンスチリルフェニルエーテル、ポリオキシアルキレンアルキルエステル、ポリオキシアルキレンソルビタン脂肪酸エステル、ポリオキシアルキレンひまし油エーテル、ポリオキシエチレンポリオキシプロピレン・ブロックポリマー、ポリオキシアルキレンアルキルアミン等が挙げられるが、特にこれらに限定されるものではない。なお、上記のポリオキシアルキレンとは、ポリオキシエチレン、ポリオキシプロピレンやポリオキシエチレンポリオキシプロピレン・ブロックポリマーおよびそれらの混合物のことを示す。
【００２８】
アニオン性界面活性剤としては、高級脂肪酸（Ｃ10〜22）のアルカリ金属塩、アルカリ土類金属塩、またはアンモニウム塩、例えばココナッツ油または獣脂から得られる天然脂肪酸混合物の金属塩または、特に脂肪族スルホン酸、脂肪族硫酸、脂肪族スルホコハク酸、アルキルアリールスルホン酸、またはアルキルアリール硫酸エステルなどを挙げることができる。スルホン酸、硫酸またはスルホコハク酸のエステルは、通常、アルカリ金属塩、アルカリ土類金属塩、アミン塩或いはアンモニウム塩の形態で提供される。そして、通常は、炭素原子数８ないし２２のアルキル基を含み、例えばアルキル硫酸エステル、天然脂肪酸から得られる脂肪族アルコール硫酸エステルの混合物、またはジアルキルスルホコハク酸エステルのナトリウム、カリウム、カルシウムまたはマグネシウム塩である。アルキルアリールスルホン酸エステルの例としては、ドデシルベンゼンスルホン酸、ナフタレンスルホン酸及びそのホルムアルデヒド縮合生成物、またはトリスチリルフェノール硫酸エステルのナトリウム、カルシウム、アンモニウムまたはトリエタノールアミン塩である。適当なホスフェート、例えば４ないし１４モルのエチレンオキシドを含むアルキルフェノール、およびトリスチリルフェノール付加物のリン酸エステルのナトリウム、カルシウム、アンモニウムまたはトリエタノールアミン塩を挙げることができる。
【００２９】
本発明の組成物は、任意成分としてＮ−メチル−２−ピロリドン、Ｎ、Ｎ−ジメチルホルムアミド、Ｎ，Ｎ−ジメチルアセトアミド、１，２−ジアミノプロパン、１，３−ジアミノプロパン、１，４−ジアミノブタン、２−シアノピラジン、２−ビニルピリジン、２−メチルピラジン、３−（ジエチルアミノ）プロピルアミン、３−（ジメチルアミノ）プロピルアミン、３−（メチルアミノ）−プロピルアミン、３，３−イミノビス（プロピルアミン）、３−アルデヒドピリジン、３−エトキシプロピルアミン、３−メトキシプロピルアミン、Ｎ−（３−アミノプロピル）モルホリン、Ｎ，Ｎ−ジメチルアクリルアミド、Ｎ，Ｎ−ジエチルエタノールアミン、Ｎ，Ｎ−ジメチルエタノールアミン、ｎ−ヘキシルアミン、Ｎ−メチル−３，３−イミノビス、Ｎ−メチルジエタノールアミン、Ｎ−メチルピペリジン、ｓｅｃ−ブチルアミン、アクリルサンジメチルアミノエチルエステル、アクリロイルモルホリン、アクリロニトリル、アセトニトリル、アセトンシアンヒドリン、イソプロピルアミン、エタノールアミン、エチルアミン、エチレンイミン、エチレンジアミン、エチレンシアンヒドリン、キノリン、ジエチルアミン、シクロヘキシルアミン、ジメチルヒドラジン、テトラメチル−１，３−ジアミノプロパン、ピペリジン、ピリジン、ピリジンメタノール、ピロリジン、フェネチルアミン、プロピルアミン、ベンジルアミン、ポリビニルピロリドン、モノｎブチルアミン、モノメチルヒドラジン、ジイソプロピルアミン、トリエチルアミン、ジ−ｎ−ブチルアミン、トリ−ｎ−ブチルアミン、ジシクロヘキシルアミン、ジベンジルアミン、トリ−ｎ−オクチルアミン、ジアリルアミン、トリアリルアミン、２，５−ジメチルピラジン、ｔ−ブチルアミン、ビスアミノプロピルピペラジン、Ｎ，Ｎ−ジエチルアニリン、Ｎ，Ｎ−ジブチルエタノールアミン、Ｎ，Ｎ，Ｎ，Ｎ，−テトラメチル−１，６−ヘキサメチレンジアミン、キナルジン、３−（ジブチルアミノ）プロピルアミン、トリアリルイソシアヌート、Ｎ，Ｎ−ジグリシシリルアニリン、Ｎ，Ｎ−ジグリシジリル−ｏ−トルイジン、ベンジルエチルアニリン、２，４，６−トリス（ジメルアミノメチル）フェノール、ｏ−トリジンジイソシアネート、ジ−２−エチルヘキシルアミン、２−ニトロプロパン、２−エチルヘキシルアミン、３−（２−エチルヘキシルオキシ）プロピルアミン、メチルエチルケトンオキシム、モルホリン、Ｎ−メチルピペラジン、１−アミノ−４−メチルピペラジン、２−クロロピリジン、３．３−ジメトキシプロピオニトリル、Ｎ，Ｎ−ジメチルアセトアセトアミド、２−ピペコリン、４−ピペコリン、３−ピペコリン、（ヒドロキシエチル）ピペラジン、１−（２−アミノエチル）ピペラジン、テトラメチルエチレンジアミン、ベンゾニトリル、α−ピコリン、β−ピコリン、γ−ピコリン、アニリン、エチル−３−ジメチルアミノアクリレート、ｍ−アミノベンゾトリフルオライド、ニトロトルエン、Ｏ−ニトロアニソール、トルイジン、アニシジン、２−プロピルピリジン、２，４，６−コリジン、Ｎ，Ｎ−ジメチルアニリン、Ｎ−エチルアニリン、キシリジン、ｐ−フェネチジン、ｍ−キシリレンジアミン、ジアリルジメチルアンモニウムクロライド、Ｎ，Ｎ−ジイソプロピルエチルアミン、メシジン、トリレジンイソシアネート、メタクリル酸ステアリル、メタクリル酸ジメチルアミノエチル、アリルアミン、イソプロパノールアミン、１−ニトロプロパン、プロピオニトリル、ニトロエタン、Ｎ−メチルエタノールアミン、ニトロメタン、ホルムアミド、３，３−イミノジプロピオニトリル、２−ヒドロキシエチルアミノプロピルアミン、チオグリコールサンアンモニウム、Ｎ−（２−アミノエチル）エタノールアミン、ヘキサメチレンジイソシアネートなどの溶媒を１種または２種以上を０．１〜１０重量％の割合で含有していてもよい。
【００３０】
本発明の液状組成物は水分を含んでいても良く、水分は０．００１〜５０重量％が好ましく、特に０．０１〜０．５重量％程度を最適に示すことができる。
【００３１】
本発明の液状組成物の製造方法は、通常とりうる方法であれば限定されるものではない。溶媒に生理活性成分と界面活性剤を溶解・混合した後に、染料をそのまま又は水に完全に溶解し発色させてから添加する方法をとることができる。あらかじめ染料を水で溶解した溶液を有機溶媒と混合することにより、色の発現をよくすることができる。
【００３２】
均一に溶解・混合させるには、攪拌槽、噴流混合機、スタティックミキサー、パルブホモジナイザー、超音波ホモジナイザー、エクストルーダーを用いる方法があり、攪拌槽内の攪拌機にプロペラ、ベイントディスク、平パドル、傾斜パドル、多重パドル、タービンやアンカーなどの攪拌羽根をつけて使用する。
【００３３】
特に染料が溶媒に溶けない場合には、あらかじめ水に染料を溶解してから添加することにより、染料が溶媒に溶解でき発色が可能となる。水に溶解した染料を溶媒に加えても溶媒を水に溶解した染料に加えてもよく、生理活性物質や任意成分はどの時点で加えてもよい。
【００３４】
本発明の液状組成物は、例えば、生理活性成分と界面活性剤を加えて、攪拌することによって乳剤（ｅｍｕｌｓｉｆｉａｂｌｅ  ｃｏｎｃｅｎｔｒａｔｅ）や水溶液剤（ｓｏｌｕｂｌｅ  ｃｏｎｃｅｎｔｒａｔｅ）として用いることもできるが、特にこれらの形状に限定されるものではない。
【００３５】
本発明の液状生理活性組成物は、そのままで、または水等で希釈して、種子、植物体、水面または土壌に施用される。また、他の殺菌剤、殺虫剤、除草剤、展着剤、肥料、土壌改良剤等と併用することもできる。具体的には農耕地、非農耕地双方に処理することができ、種子処理剤としては種芋等への吹き付け処理、粉衣処理、散布塗布、浸漬処理等、茎葉処理剤としては散布処理、トップドレッシング処理等、土壌処理剤としては表面散布処理、混和処理、灌注処理、燻蒸処理、植穴処理、株元処理、作条処理、播溝処理、育苗箱処理、育苗ポット処理など、水田処理剤としては粒剤処理、ジャンボ剤処理、フロアブル剤処理等、その他の処理剤としては燻蒸処理、芝生用処理等として用いることができる。さらに農業用途以外として、土壌病虫害防除剤、シロアリ防除剤、衣料用剤、害虫防除剤、木材害虫防除剤、ベイト剤、動物外部寄生虫防除剤、衛生害虫防除剤、家庭防疫用剤、インクジェットプリンター用インク、塗料、船底塗料、魚網等の防藻剤、木材等の防黴剤等としても使用することができる。
【００３６】
本発明の液状生理活性組成物の施用量は、有効成分化合物の種類、気象条件、製剤形態、施用方法、施用場所、防除対象病害、対象作物等により限定されるものではないが、通常１ヘクタール当たり有効成分化合物量にして１〜１０００ｇ、好ましくは１０〜１００ｇである。
【００３７】
以下に実施例を挙げ、本発明をより具体的に説明する。
【実施例１】
【００３８】
ジメチルスルホキシド（以下ＤＭＳＯと略記する）４５．４５部、γ−ブチロラクトン３５部にＰｌｕｒｏｎｉｃ  ＰＥ６４００（ＢＡＳＦ社製）１部、アセタミプリド１８．５部、および食用青色１号０．０５部を溶解して均一溶液を得た。
【実施例２】
【００３９】
ＤＭＳＯ４５．４５部、γ−ブチロラクトン３５部、にＳｏｒｐｏｌ−３６４１（東邦化学社製）１部、アセタミプリド１８．５部、および食用青色１号０．０５部を溶解して均一溶液を得た。
【実施例３】
【００４０】
ＤＭＳＯ７８．４５部にＳｏｒｐｏｌ−３６４１（東邦化学社製）３部、アセタミプリド１８．５部、および食用青色１号０．０５部を溶解して均一溶液を得た。
【実施例４】
【００４１】
エチレングリコール９４．９５部にアセタミプリド５部、食用青色１号０．０５部を溶解して均一溶液を得た。
【実施例５】
【００４２】
ジエチレングリコール９４．９５部にアセタミプリド５部、食用青色１号０．０５部を溶解して均一溶液を得た。
【実施例６】
【００４３】
プロピレングリコール９４．９５部にアセタミプリド５部、食用青色１号０．０５部を溶解して均一溶液を得た。
【実施例７】
【００４４】
ジプロピレングリコール９４．９５部にアセタミプリド５部、食用青色１号０．０５部を溶解して均一溶液を得た。
【実施例８】
【００４５】
へキシレングリコール９４．９５部にアセタミプリド５部、食用青色１号０．０５部を溶解して均一溶液を得た。
【実施例９】
【００４６】
テトラヒドロフルフリルアルコール９４．９５部にアセタミプリド５部、食用青色１号０．０５部を溶解して均一溶液を得た。
【実施例１０】
【００４７】
γ−ブチロラクトン９４．９５部にアセタミプリド５部、食用青色１号０．０５部を溶解して均一溶液を得た。
【実施例１１】
【００４８】
ジメチルスホキシド９４．９５部にアセタミプリド５部、食用青色１号０．０５部を溶解して均一溶液を得た。
【実施例１２】
【００４９】
グリセリン９４．９５部、アセタミプリド５部に食用青色１号０．０５部を溶解して均一溶液を得た。
【実施例１３】
【００５０】
γ−ブチロラクトン９４．９５部にアセタミプリド５部、食用赤色２号０．０５部を溶解して均一溶液を得た。
【実施例１４】
【００５１】
ジメチルスルホキシド９４．９５部にアセタミプリド５部、食用赤色２号０．０５部を溶解して均一溶液を得た。
【実施例１５】
【００５２】
γ−ブチロラクトン９４．９５部にアセタミプリド５部、食用赤色３号０．０５部を溶解して均一溶液を得た。
【実施例１６】
【００５３】
ジメチルスルホキシド９４．９５部にアセタミプリド５部、食用赤色３号０．０５部を溶解して均一溶液を得た。
【実施例１７】
【００５４】
γ−ブチロラクトン９４．９５部にアセタミプリド５部、食用赤色１０４号０．０５部を溶解して均一溶液を得た。
【実施例１８】
【００５５】
ジメチルスルホキシド９４．９５部にアセタミプリド５部、食用赤色１０４号０．０５部を溶解して均一溶液を得た。
【実施例１９】
【００５６】
γ−ブチロラクトン９４．９５部にアセタミプリド５部、食用赤色１０５号０．０５部を溶解して均一溶液を得た。
【実施例２０】
【００５７】
ジメチルスルホキシド９４．９５部にアセタミプリド５部、食用赤色１０５号０．０５部を溶解して均一溶液を得た。
【実施例２１】
【００５８】
γ−ブチロラクトン９４．５部にアセタミプリド５部、水に溶かし発色させた食用黄色４号０．５部（蒸留水０．４９部、食用黄色４号０．０１部）加えを溶解して均一溶液を得た。
【実施例２２】
【００５９】
ジメチルスルホキシド９４．９５部にアセタミプリド５部、食用黄色４号０．０５部を溶解して均一溶液を得た。
【実施例２３】
【００６０】
γ−ブチロラクトン９４．９５部にアセタミプリド５部、食用黄色５号０．０５部を溶解して均一溶液を得た。
【実施例２４】
【００６１】
ＤＭＳＯ９４．９５部にアセタミプリド５部、食用黄色５号０．０５部を溶解して均一溶液を得た。
【実施例２５】
【００６２】
γ−ブチロラクトン９４．９５部にアセタミプリド５部、食用緑色３号０．０５部を溶解して均一溶液を得た。
【実施例２６】
【００６３】
ＤＭＳＯ９４．９５部にアセタミプリド５部、食用緑色３号０．０５部を溶解して均一溶液を得た。
【実施例２７】
【００６４】
γ−ブチロラクトン９４．９５部にアセタミプリド５部、アリザリグリーンＧ０．０５部を溶解して均一溶液を得た。
【実施例２８】
【００６５】
ＤＭＳＯ９４．９５部にアセタミプリド５部、アリザリグリーンＧ０．０５部を溶解して均一溶液を得た。
【実施例２９】
【００６６】
γ−ブチロラクトン９４．９５部にアセタミプリド５部、ブリリアントグリーン０．０５部を溶解して均一溶液を得た。
【実施例３０】
【００６７】
ジメチルスルホキシド９４．９５部にアセタミプリド５部、ブリリアントグリーン０．０５部を溶解して均一溶液を得た。
【実施例３１】
【００６８】
γ−ブチロラクトン９４．９５部にアセタミプリド５部、食用青色１号０．０５部を溶解して均一溶液を得た。
【実施例３２】
【００６９】
ジメチルスルホキシド９４．９５部にアセタミプリド５部、食用青色１号０．０５部を溶解して均一溶液を得た。
【実施例３３】
【００７０】
γ−ブチロラクトン９４．９５部にアセタミプリド５部、食用赤色４０号０．０５部を溶解して均一溶液を得た。
【実施例３４】
【００７１】
ＤＭＳＯ９４．９５部にアセタミプリド５部、食用赤色４０号０．０５部を溶解して均一溶液を得た。
【実施例３５】
【００７２】
ＤＭＳＯ４０部、γ−ブチロラクトン２８．７５部、Ｎ−メチル−２−ピロリドン１０部にＰｌｕｒｏｎｉｃ  ＰＥ６４００（ＢＡＳＦ社製）１部、アセタミプリド２０．２部、および食用青色１号０．０５部を溶解して均一溶液を得た。
【実施例３６】
【００７３】
ＤＭＳＯ４２．５部、γ−ブチロラクトン３１．２５部、Ｎ−メチル−２−ピロリドン５部にＰｌｕｒｏｎｉｃ  ＰＥ６４００（ＢＡＳＦ社製）１部、アセタミプリド２０．２部、および食用青色１号０．０５部を溶解して均一溶液を得た。
【実施例３７】
【００７４】
γ−ブチロラクトン３２．２６部、ジプロピレングリコール５７．６６部にＰｌｕｒｏｎｉｃ  ＰＥ６４００（ＢＡＳＦ社製）０．９４部及びアセタミプリド８．６４部を完全に溶解させた溶液に、食用黄色４号７８％、食用青色１号２％及び食用赤色４０号２０％の割合で混合した混合色素０．０１部を０．４９部の水に溶かして発色させた溶液添加し、スリーワンモーターにて混合溶解して均一溶液を得た。
【００７５】
比較例１
ＤＭＳＯ４７．４５部、Ｎ−メチル−２−ピロリドン３１部にＳｏｒｐｏｌ−３６４１（東邦化学社製）３部、アセタミプリド１８．５部、および食用青色１号０．０５部を溶解して均一溶液を得た。
【００７６】
比較例２
ＤＭＳＯ４７．４５部、Ｎ−メチル−２−ピロリドン３１部にＰｌｕｒｏｎｉｃ  ＰＥ６４００（ＢＡＳＦ社製）３部、アセタミプリド１８．５部、および食用青色１号０．０５部を溶解して均一溶液を得た。
【００７７】
比較例３
Ｎ−メチル−２−ピロリドン７８．４５部にＳｏｒｐｏｌ−３６４１（東邦化学社製）３部、アセタミプリド１８．５部、および食用青色１号０．０５部を溶解して均一溶液を得た。
【００７８】
比較例４
トリエタノールアミン９４．９５部にアセタミプリド５部、食用青色１号０．０５部を溶解して均一溶液を得た。
【００７９】
比較例５
Ｎ−メチル−２−ピロリドン９４．９５部にアセタミプリド５部、食用青色１号０．０５部を溶解して均一溶液を得た。
【００８０】
比較例６
Ｎ，Ｎ−ジメチルホルムアミド９４．９５部にアセタミプリド５部、食用青色１号０．０５部を溶解して均一溶液を得た。
【００８１】
比較例７
Ｎ，Ｎ−ジメチルアセトアミド９４．９５部にアセタミプリド５部、食用青色１号０．０５部を溶解して均一溶液を得た。
【００８２】
比較例８
Ｎ−メチル−２−ピロリドン９４．９５部にアセタミプリド５部、食用赤色２号０．０５部を溶解して均一溶液を得た。
【００８３】
比較例９
Ｎ−メチル−２−ピロリドン９４．９５部にアセタミプリド５部、食用赤色３号０．０５部を溶解して均一溶液を得た。
【００８４】
比較例１０
Ｎ−メチル−２−ピロリドン９４．９５部にアセタミプリド５部、食用赤色１０４号０．０５部を溶解して均一溶液を得た。
【００８５】
比較例１１
Ｎ−メチル−２−ピロリドン９４．９５部にアセタミプリド５部、食用赤色１０５号０．０５部を溶解して均一溶液を得た。
【００８６】
比較例１２
Ｎ−メチル−２−ピロリドン９４．９５部にアセタミプリド５部、食用黄色４号０．０５部を溶解して均一溶液を得た。
【００８７】
比較例１３
Ｎ−メチル−２−ピロリドン９４．９５部にアセタミプリド５部、食用黄色５号０．０５部を溶解して均一溶液を得た。
【００８８】
比較例１４
Ｎ−メチル−２−ピロリドン９４．９５部にアセタミプリド５部、食用緑色３号０．０５部を溶解して均一溶液を得た。
【００８９】
比較例１５
Ｎ−メチル−２−ピロリドン９４．９５部にアセタミプリド５部、アリザリングリーンＧ０．０５部を溶解して均一溶液を得た。
【００９０】
比較例１６
Ｎ−メチル−２−ピロリドン９４．９５部にアセタミプリド５部、ブリリアントグリーン０．０５部を溶解して均一溶液を得た。
【００９１】
比較例１７
Ｎ−メチル−２−ピロリドン９４．９５部にアセタミプリド５部、食用赤色４０号０．０５部を溶解して均一溶液を得た。
【００９２】
比較例１８
ＤＭＳＯ４０部、Ｎ，Ｎ−ジメチルアセトアミド３８．４５部にＰｌｕｒｏｎｉｃ  ＰＥ６４００（ＢＡＳＦ社製）１部、アセタミプリド２０．５部、および食用青色１号０．０５部を溶解して均一溶液を得た。
【００９３】
比較例１９
Ｎ，Ｎ−ジメチルアセトアミド７１部、ジエチレングリコールモノメチルエーテル７．４５部にＰｌｕｒｏｎｉｃ  ＰＥ６４００（ＢＡＳＦ社製）１部、アセタミプリド２０．５部、および食用青色１号０．０５部を溶解して均一溶液を得た。
【００９４】
比較例２０
Ｎ，Ｎ−ジメチルアセトアミド６８．４５部、γ−ブチロラクトン１０部にＰｌｕｒｏｎｉｃ  ＰＥ６４００（ＢＡＳＦ社製）１部、アセタミプリド２０．５部、および食用青色１号０．０５部を溶解して均一溶液を得た。
【００９５】
比較例２１
γ−ブチロラクトン９４．９５部にアセタミプリド５部、食用黄色４号０．０１部を添加混合し、水０．４９部を加えて更にスリーワンモーターにて混合し不均一な液を得た。
【００９６】
比較例２２
γ−ブチロラクトン３２．２６部、ジプロピレングリコール５７．６６部にＰｌｕｒｏｎｉｃ  ＰＥ６４００（ＢＡＳＦ社製）０．９４部、アセタミプリド８．６４部、食用黄色４号０．００７８部、食用青色１号０．０００２部、食用赤色４０号０．００２部、を加えて均一の溶液を作り、さらに、蒸留水を０．４９部添加し、スリーワンモーターにて混合し、不均一な液を得た。
【００９７】
比較例２３
γ−ブチロラクトン３２．２６部、ジプロピレングリコール５８．１５部にＰｌｕｒｏｎｉｃ  ＰＥ６４００（ＢＡＳＦ社製）０．９４部、アセタミプリド８．６４部、を溶解し均一の溶液を作り、更に茶色に着色する為に食用黄色４号０．００７８部、食用青色１号０．０００２部、食用赤色４０号０．００２部を添加しスリーワンモーターで混合攪拌し、更に蒸留水０．４９部を加えて攪拌して不均一な液を得た。
【００９８】
試験例１〜４  耐光性試験
実施例及び比較例の組成物を光透過性の高いポリエチレン単層ボトルにいれ、温室内で１４〜２１日間露光し、太陽光に曝露させた。露光１４〜２１日後に、薬液の色を目視にて観察し、水で１００倍に希釈した液の吸光度を測定して染料の残存率を算出した。結果を表１〜４に示した。
【００９９】
【表１】
2006131751.tif 000002
【０１００】
【表２】
2006131751.tif 000003
【０１０１】
【表３】
2006131751.tif 000004
【０１０２】
【表４】
2006131751.tif 000005
【０１０３】
【表５】
2006131751.tif 000006
【０１０４】
【表６】
2006131751.tif 000007
【０１０５】
試験例５  染料の溶解試験
混合順序を変えて製造した液状組成物を目視にて染料の溶解状態や色を観察した。結果を表５に製造フローを図１〜３に示した。
【０１０６】
【表７】
2006131751.tif 000008
【産業上の利用可能性】
【０１０７】
本発明により、溶媒中での染料の光に対する安定性が良くなり、長期間にわたり色調が変化しない液状組成物を得る事ができる。また、溶媒に溶けない染料を予めわずかな水に溶解することにより、染料を溶媒に溶解させて安定的に発色させることができる。
【図面の簡単な説明】
【０１０８】
【図１】試験例５の実施例３７の製造フロー図である。
【図２】試験例５の比較例２２の製造フロー図である。
【図３】試験例５の比較例２３の製造フロー図である。
【図１】
2006131751.tif 000009
【図２】
2006131751.tif 000010
【図３】
2006131751.tif 000011